(57)【要約】【課題】  薄型筐体内に液晶表示パネル及び平面アンテナを収容した携帯通信端末における通話品質を向上させることを目的とする。【解決手段】  通話時のユーザに表示面を対向させて配置された液晶表示モジュール２１と、表示用筐体１０内に液晶表示モジュール２１とともに収容され、アンテナ面を液晶表示モジュール２１の表示面とオーバーラップさせることなく配置された平面アンテナ２０と、液晶表示モジュール２１の表示面上に配置され、平面アンテナ２０とオーバーラップさせることなく配置された透明電極２５とを備える。【選択図】  図２
2005159851.tif 000002
【特許請求の範囲】
【請求項１】
通話時のユーザに表示面を対向させて配置された液晶表示パネルと、
薄型筐体内に液晶表示パネルとともに収容され、アンテナ面を液晶表示パネルの表示面とオーバーラップさせることなく配置された平面アンテナと、
液晶表示パネルの表示面上に配置され、上記アンテナ面とオーバーラップさせることなく配置された透明電極とを備えたことを特徴とする携帯通信端末。
【請求項２】
上記液晶表示パネルの表示面を閲覧可能にする上記薄型筐体上に設けられた表示窓と、
表示窓の周辺に配置された金属箔からなる接地電極とを備え、
薄型筐体及び液晶表示パネルにより透明電極及び接地電極を挟み込み、透明電極に接地電極を当接させることを特徴とする請求項１に記載の携帯通信端末。
【請求項３】
上記透明電極は、液晶表示パネルの表示面に貼付され、表示窓側に導電膜が形成された透明フィルムからなることを特徴とする請求項２に記載の携帯通信端末。
【請求項４】
上記透明電極は、ＩＴＯ膜が形成されたＰＥＴフィルムからなることを特徴とする請求項３に記載の携帯通信端末。
【請求項５】
上記透明電極は、液晶表示パネルの表示面上に形成されたＩＴＯ膜であることを特徴とする請求項３に記載の携帯通信端末。
【請求項６】
上記接地電極は、平面アンテナとは反対側を開放させて表示窓を取り囲む形状からなることを特徴とする請求項２に記載の携帯通信端末。
【請求項７】
通話時のユーザに対向する位置に表示窓が設けられた第１の薄型筐体が、操作キーが設けられた第２の筐体と可動連結された携帯通信端末において、
第１の薄型筐体内に収容され、表示窓に表示面を対向させて配置された液晶表示パネルと、
アンテナ面を液晶表示パネルの表示面とオーバーラップさせることなく、第１の薄型筐体内において連結側とは反対側に配置した平面アンテナと、
液晶表示パネルの表示面上に配置された透明電極と、
上記透明電極を接地するための金属箔からなり、上記第２の筐体との連結側を開放させて表示窓を取り囲む形状からなる接地電極とを備えたことを特徴とする携帯通信端末。
【発明の詳細な説明】
【技術分野】
【０００１】
本発明は、携帯通信端末に係り、更に詳しくは、薄型筐体内に平面アンテナ及び液晶表示パネルを収容した携帯電話機、ＰＨＳなどの携帯通信端末に関する。
【背景技術】
【０００２】
液晶表示パネルは、携帯電話機やＰＨＳなどの携帯通信端末の表示手段として広く採用されている。液晶表示パネルは小型軽量であるという長所を有する一方、高周波ノイズを発生させるという短所を有している。このため、従来の携帯通信端末では、液晶表示パネルにシールド手段を設けて、液晶表示パネルで発生したノイズが、アンテナを含む無線通信回路に悪影響を与えるのを防止している。
【０００３】
図１０は、従来の携帯電話機の一構成例を示した側面図であり、一部破断させて内部構造が示されている。この携帯電話機は、表示窓１４が設けられた表示用筐体１０と、操作キー１５が設けられた操作用筐体１１からなり、ヒンジ１２により折り畳み可能に構成される。また、液晶表示モジュール２１及びアンテナ２０’は、ともに表示用筐体１０に配置されている。
【０００４】
液晶表示モジュール２１は、その背面側にプリント基板２２が配置され、その側面が金属フレーム２４によって囲まれている。つまり、液晶表示モジュール２１は、背面方向及び側面方向にノイズが漏出しないようにシールドされている。一方、アンテナ２０’は、プリント基板２２よりも更に背面側に設けられている。このため、液晶表示モジュール２１のノイズによる影響を抑制し、所定の通信品質が確保されている。
【０００５】
なお、携帯電話機のアンテナ２０’は、通常、モノポールアンテナと、その先端に取り付けられたヘリカルアンテナにより構成され、両アンテナを切り替えて使用される。すなわち、アンテナ収納時には先端のヘリカルアンテナが使用され、アンテナ引き出し時にはモノポールアンテナが使用される。
【０００６】
図１１は、従来の携帯電話機の他の構成例を示した側面図である。この携帯電話機では、図１０の場合と同様のアンテナ２０’が、操作用筐体１１に取り付けられている。このため、上述したシールド効果に加えて、液晶表示モジュール２１及びアンテナ２０’間の距離を確保することができ、液晶表示モジュール２１からのノイズによる影響を更に効果的に抑制することができる。
【０００７】
また、液晶表示パネルのノイズ対策として、その表示面に透明電極を設ける方法が従来から提案されている（例えば特許文献１〜３）。特許文献１，２には、液晶表示パネルの表示面に透明電極膜を形成し、液晶表示パネルが収納された金属筐体に対し、当該透明電極を電気的に接続し、筐体外へのノイズの輻射を完全に遮断する技術が開示されている。また、特許文献３にも、液晶表示パネルの表示面に透明電極膜を形成し、外枠は金属で形成することが望ましい旨が記載されている。
【特許文献１】特開昭６２−２０４２２８号公報
【特許文献２】特開平３−２１９２３号公報
【特許文献３】特開昭６０−１２７８８８号公報
【発明の開示】
【発明が解決しようとする課題】
【０００８】
従来の携帯電話機は、上述したとおり、液晶表示モジュール２１の背面及び側面にシールドが設けられており、背面方向及び側面方向へ輻射される電磁波を遮断し、液晶表示モジュール２１で発生したノイズによるアンテナ２０’への影響を抑制している。しかしながら、液晶表示モジュール２１の表示面は、シールドされることなく表示窓１４に対向させている。このため、表示面からは筐体外に向けてノイズが輻射されている。このノイズは、図１２に示した様に、通話中のユーザによって反射され、その一部がアンテナ２０’に到達し、無線通信に悪影響を与える。
【０００９】
携帯電話機は、通常、表示用筐体１０に通話用レシーバ、操作用筐体１１に通話用マイクが設けられており、ユーザは携帯電話機を顔に近づけて通話を行う。しかも、利便性を考慮して、ほとんどの携帯電話機では、表示窓１４が通話用レシーバと同一面に取り付けられている。このため、通話中は、表示用筐体１０をユーザの顔に近づけ、液晶表示モジュール２１の表示面をユーザに対向させた状態となる。従って、表示面から筐体外に輻射されたノイズは、通話中のユーザにより反射されて、無線通信に悪影響を与えるという問題があった。
【００１０】
特に、平面アンテナを採用した場合、上記反射波による無線通信への影響が顕著となる。液晶表示モジュール及び平面アンテナは、ともに所定の面積を確保する必要があるため、薄型の表示用筐体１０に収納しようとすれば、平面アンテナを液晶表示モジュールと概ね平行に配置せざるを得ない。ところが、ループアンテナ等の平面アンテナは、アンテナ面を垂直に横切る電波に対する感度が高い。このため、表示面から輻射されたノイズがユーザにおいて反射されると、平面アンテナによる送受信信号のＳ／Ｎ比を著しく悪化させるという問題があった。
【００１１】
また、最近の液晶表示パネルは、更に小型化、低コスト化され、無線通信端末に内蔵される液晶表示パネルも次第に高精細化されつつある。液晶表示パネルのピクセル数が増大すると、フレームレートが同一であっても、より高速に動作させる必要があり、より周波数の高いノイズが液晶表示パネルから輻射されるようになる。例えば、フレームレートが６０ｆｐｓ（frame per second）程度であっても、液晶表示パネルを制御しているＬＣＤコントローラには５ＭＨｚ以上の高速クロックが必要になってきている。このため、送受信用の搬送波周波数が約８００ＭＨｚであれば、当該高速クロックの高調波が、無線送受信信号に混入すれば大きな影響を与えることから、ユーザによる反射波が問題となる。
【００１２】
一方、上記特許文献１〜３に記載された技術は、機器全体を静電的に遮蔽し、シールド効果をより高めようとする方法である。このため、この様な従来技術を同一筐体内に液晶表示パネル及びアンテナが収容されている携帯通信端末に適用すれば、アンテナの感度を低下させてしまうという問題が生ずる。つまり、これらの従来技術は、いずれも携帯通信端末に関するものではなく、表示中の液晶表示パネルの間近にユーザが位置し、表示面からの輻射ノイズがユーザで反射して、同一筐体内のアンテナに影響を及ぼすという課題を解決できるものではない。
【００１３】
本発明は、上記の事情に鑑みてなされたものであり、通話品質を向上させた携帯通信端末を提供することを目的とする。特に、薄型筐体内に液晶表示パネル及び平面アンテナを収容した携帯通信端末における通話品質を向上させることを目的とする。また、このような携帯通信端末を、顕著に重量を増大させ、製造コストを増大させ、あるいは、組み立て作業を煩雑化させることなく実現することを目的とする。また、通話品質の向上により、表示品質を低下させるのを防止することを目的とする。
【課題を解決するための手段】
【００１４】
本発明による携帯通信端末は、通話時のユーザに表示面を対向させて配置された液晶表示パネルと、薄型筐体内に液晶表示パネルとともに収容され、アンテナ面を液晶表示パネルの表示面とオーバーラップさせることなく配置された平面アンテナと、液晶表示パネルの表示面上に配置され、上記アンテナ面とオーバーラップさせることなく配置された透明電極とを備えて構成される。
【００１５】
液晶表示パネルの表示面上に透明電極を配置することにより、液晶表示パネルの表示面から筐体外へノイズが輻射されるのを抑制することができ、通話中のユーザからの反射波による平面アンテナへの影響を抑制することができる。また、平面アンテナを液晶表示パネルの表示面にオーバーラップさせず、透明電極を平面アンテナにオーバーラップさせないことにより、平面アンテナの受信感度を確保することができる。従って、薄型筐体内に液晶表示パネルとともに平面アンテナを備えた携帯通信端末の通話品質を向上させることができる。
【００１６】
また、本発明による携帯通信端末は、上記液晶表示パネルの表示面を閲覧可能にする上記薄型筐体上に設けられた表示窓と、表示窓の周辺に配置された金属箔からなる接地電極とを備え、薄型筐体及び液晶表示パネルにより透明電極及び接地電極を挟み込み、透明電極に接地電極を当接させるように構成される。
【００１７】
この様な構成により、液晶表示パネルの表示面上の各点について、その近傍に導電率の高い接地電極を配置することができ、透明電極から接地点までのインピーダンスを低下させて、透明電極によるシールド効果を高めることができる。しかも、薄型筐体及び液晶表示パネルによって、透明電極及び接地電極を挟み込んで接地電極を透明電極に当接させることにより、簡単な構成で透明電極を接地することができる。
【００１８】
また、本発明による携帯通信端末は、上記透明電極が、液晶表示パネルの表示面に貼付され、表示窓側に導電膜が形成された透明フィルムからなる。この様な構成により、透明フィルムと、液晶表示パネルの表示面とを密着させることができ、例えば気泡が視認される場合のように、両者の間隔が不均一になることによる表示品質の低下を防止することができる。また、筐体への組み込み前に、透明フィルムを液晶表示パネルに貼付しておくことにより、透明フィルムと液晶表示パネルの表示面との位置合わせを容易に行うことができる。
【００１９】
また、本発明による携帯通信端末は、上記透明電極が、ＩＴＯ（Indium Tin Oxide：インジウム錫酸化物）膜が形成されたＰＥＴ（Poly Ethylene Terephthalate）フィルムからなる。この様な構成により、安価で薄型軽量の透明電極を用いて、液晶表示パネルの表示面からのノイズの輻射を抑制し、通話時における平面アンテナへの影響を低減することができる。
【００２０】
また、本発明による携帯通信端末は、上記接地電極が、平面アンテナとは反対側を開放させて表示窓を取り囲む形状からなる。この様な構成により、シールド効果の低下を抑制しつつ、液晶表示パネルや、その背面側に配置されたプリント基板上の回路素子、パターン及びピン等が、接地電極によってショートされるのを防止することができる。
【００２１】
また、本発明による携帯通信端末は、通話時のユーザに対向する位置に表示窓が設けられた第１の薄型筐体が、操作キーが設けられた第２の筐体と可動連結された携帯通信端末であって、第１の薄型筐体内に収容され、表示窓に表示面を対向させて配置された液晶表示パネルと、アンテナ面を液晶表示パネルの表示面とオーバーラップさせることなく、第１の薄型筐体内において連結側とは反対側に配置した平面アンテナと、液晶表示パネルの表示面上に配置された透明電極と、上記透明電極を接地するための金属箔からなり、上記第２の筐体との連結側を開放させて表示窓を取り囲む形状からなる接地電極とを備えて構成される。この様な構成により、液晶表示パネルの背面側に配置されたプリント基板を第２の筐体へ接続する際、その連結側端部から配線ケーブルを引き出すことができ、その配線長を短くすることができる。
【発明の効果】
【００２２】
本発明によれば、通話品質を向上させた携帯通信端末を提供することができる。特に、薄型筐体内に液晶表示パネル及び平面アンテナを収容した携帯通信端末における通話品質を向上させることができる。また、このような携帯通信端末を、顕著に重量を増大させ、製造コストを増大させ、あるいは、組み立て作業を煩雑化させることなく実現することができる。また、通話品質の向上により、表示品質を低下させるのを防止することができる。
【発明を実施するための最良の形態】
【００２３】
図１は、本発明の実施の形態による携帯通信端末の一例を示した外観図であり、図中の（ａ）には折り畳み式携帯電話機の前面、（ｂ）にはその側面が示されている。表示用筐体１０及び操作用筐体１１は、携帯電話機を構成する薄型筐体である。これらの筐体１０，１１は、ともに樹脂などの軽量の絶縁性素材からなり、それぞれ前面筐体１０ａ，１１ａと、背面筐体１０ｂ，１１ｂとを係合させて構成される。
【００２４】
また、表示用筐体１０及び操作用筐体１１は、ヒンジ１２により可動連結され、各筐体１０，１１の前面を内側にして折り畳むことができる。すなわち、表示窓１４と、操作キー１５とを対向させて折り畳むことができる。
【００２５】
通話用レシーバ１３は、表示用筐体１０の前面の先端部付近に取り付けられ、通話用マイク１６は、操作用筐体１１の前面の先端部付近に取り付けられている。表示窓１４は、表示用筐体１０内の液晶表示パネル２１を閲覧するための透明開口部であり、表示用筐体１０の前面上であって、通話用レシーバ１３及び通話用マイク１６の間、すなわち、通話時にはユーザの頬付近に近接する位置に配置されている。
【００２６】
アンテナ２０は、表示用筐体１０内に液晶表示モジュール２１とともに収容されたメインアンテナであり、無線信号の送受信を行うための平面アンテナからなる。アンテナ１７は、操作用筐体１１内にメイン基板（不図示）とともに収容されたサブアンテナであり、ダイバーシティ受信時に使用される受信専用の平面アンテナである。操作キー１５は、操作用筐体１１の前面に設けられている。
【００２７】
図２は、図１の携帯電話機の内部構造を説明するための模式図であり、側面の一部破断図が示されている。液晶表示モジュール２１は、その表示面を表示窓１４に対向させて、表示用筐体１０内の前面側に配置されている。
【００２８】
液晶表示モジュール２１の背面側には、プリント基板２２が配置され、液晶表示モジュール２１は、フレキシブル基板からなるフラットケーブル２３を介してプリント基板２２に接続されている。プリント基板２２の前面側には、液晶表示モジュール２１を駆動するためのＬＣＤコントローラ等の回路素子や配線パターンが形成されている。
【００２９】
プリント基板２２の前面には、マグネシウムからなる金属フレーム２４が取り付けられており、液晶表示モジュール２１及びＬＣＤコントローラ等の側面方向を囲んでいる。つまり、液晶表示モジュール２１は、金属フレーム２４によって側面方向がシールドされ、多数の金属パターンを有するプリント基板２２によって背面方向がシールドされており、側面方向及び背面方向にノイズが輻射されるのを抑制している。
【００３０】
平面アンテナ２０は、誘電体基板に導電性パターンを形成して構成されるループアンテナであり、通話用レシーバ１３の背面側、すなわち、表示用筐体１０内の先端側に配置されている。また、プリント基板２２よりも背面側に位置し、その給電端子２０Ｐは、プリント基板２２の背面に接続されている。
【００３１】
一般に、ループアンテナは、配線長に応じた周波数信号について、ループ面積に応じた感度が得られることから、アンテナ面として所定の面積を確保する必要がある。このため、薄型筐体である表示用筐体１０内に、液晶表示モジュール２１及び平面アンテナ２０を収納しようとすれば、平面アンテナ２０のアンテナ面が液晶表示モジュール２１の表示面と概ね平行になるように配置せざるを得ない。また、ループアンテナは、アンテナ面を電波の交番磁界が垂直に横切った場合に導電性パターンに最大の起電力を発生させることから、アンテナ面の垂直方向について感度が高い。
【００３２】
従って、平面アンテナ２０の感度を低下させないようにするためには、表示用筐体１０の前面又は背面から見て、電波を送受信するためのアンテナ面が液晶表示モジュール２１の表示面にオーバラップしないように配置する必要がある。この場合、液晶表示パネル２１の表示面から輻射されたノイズが、通話中のユーザによって反射され、平面アンテナ２０に到達することになる。
【００３３】
この様な通話中の反射波による影響を抑制するために、液晶表示モジュール２１の表示面上には、透明電極２５が配置されている。透明電極２５は、絶縁性の透明フィルムの前面側の全面に導電膜を形成して構成されており、接地電極２６を介して、プリント基板２２に接地させている。接地電極２６は、表示窓１４の周辺に、表示窓１４を取り囲む様に形成された金属箔であり、銅箔などの導電率の高い金属箔が用いられる。
【００３４】
接地された透明電極２５が、液晶表示モジュール２１の表示面を覆うことにより、表示面からのノイズの輻射を抑制することができる。このため、通話中に当該ノイズの反射波が平面アンテナに与える影響を抑制することができ、通話品質を向上させることができる。このとき、透明電極２５が平面アンテナ２０のアンテナ面にオーバーラップしないように配置しておけば、透明電極２５により、平面アンテナ２０の受信感度が低下するのを防止することができる。
【００３５】
なお、平面アンテナ２０を操作用筐体１１に収容することも考えられる。しかしながら、操作用筐体１１には、プロセッサを搭載したメイン基板が収容されていることから、スペース的な問題と、ＬＣＤコントローラよりもクロック周波数の高いメインプロセッサが新たなノイズ源になるという問題がある。更に、操作用筐体１１は、携帯電話機の使用時に、その大部分がユーザの手によって覆われるため、平面アンテナ２０の受信感度が低下してしまうという問題も生ずる。この様な観点からは、平面アンテナ２０を操作用筐体１１に収容することは望ましくない。
【００３６】
図３は、図１の表示用筐体１０の主要部品について組み立て時の様子を示した分解斜視図である。表示用筐体１０は、４本のビスを前面筐体１０ａの前面側から挿入し、接地電極２６のビス穴、金属フレーム２４のビス穴を順に通して、背面筐体１０ｂの内側のビス穴に螺入することにより組み立てられる。
【００３７】
つまり、４本のビスによって、前面筐体１０ａ及び背面筐体１０ｂを係合するとともに、接地電極２６及び金属フレーム２４を表示用筐体１０内で固定している。また、透明電極２５及び接地電極２６は、液晶表示モジュール２１の表示面と、前面筐体１０ａに挟み込まれて、透明電極２５及び接地電極２６が、表示窓１４の周辺部において電気的に接続される。
【００３８】
上記組み立てに先だって、プリント基板２２には、各種の回路素子、金属フレーム２４、液晶表示モジュール２１、フラットケーブル２９等が取り付けられる。また、液晶表示モジュール２１の表示面には、透明電極２５が取り付けられ、接地電極２６の前面側には、緩衝部材２７が取り付けられている。
【００３９】
透明電極２５は、前面にＩＴＯ膜２５ａが形成されたＰＥＴフィルム２５ｂからなり、液晶表示モジュール２１の表示面上に圧着される。ＰＥＴフィルム２５ｂの一部のみを表示面に密着させた場合、その境界が模様として視認されるため、表示面との間に気泡が入らないないように透明電極２５に圧力をかけて、液晶表示モジュール２１の表示面に予め密着させている。
【００４０】
プリント基板２２は、先端部側及びヒンジ１２側の端部が金属フレーム２４よりも外側に突出し、その前面側に回路素子２８、配線パターン、ピン等が設けられている。また、フラットケーブル２９の一端がプリント基板２２の連結側の端部に接続され、その他端は操作用筐体１１内のメイン基板に接続されている。このフラットケーブル２９は、折り畳み動作によって破損しないようにヒンジ１２の内部で巻回させ、操作用筐体１１へ接続される。
【００４１】
図４は、図３の透明電極２５、接地電極２６及び緩衝部材２７の形状を詳細に示した斜視図である。図５は、これらの組み立て後における断面図である。また、図６は、透明電極２５及び接地電極２６の組み立て後における位置関係を示した平面図である。図中の斜線を示した領域が、透明電極２５に接地電極２６を当接させて、導通させる領域である。
【００４２】
透明電極２５は、矩形の表示窓１４よりも大きな矩形形状からなり、液晶表示モジュール２１の表示面を覆っている。緩衝部材２７は、矩形枠の形状からなり、表示窓１４の外周縁部に配置され、表示窓１４を取り囲んでいる。接地電極２６は、コの字形状からなり、ヒンジ１２側の１辺を開放させて表示窓１４を取り囲んでいる。なお、接地電極２６は、四隅を先端側又は連結側に延長させ、ビス穴を設けた固定用腕部を備えている。
【００４３】
表示窓１４の周辺において、高導電率の接地電極２６と透明電極２５とを導通させることにより、透明電極２５上の各点からプリント基板２２上の接地点までのインピーダンスを十分に低下させ、ノイズの輻射を抑制することができる。ただし、接地電極２６がプリント基板２２等に接触すれば、これらをショートさせてしまうことになる。このため、接地電極２６のヒンジ１２側に開放部を設け、液晶表示モジュール２１やプリント基板２２のヒンジ側端部においてショートが発生するのを防止している。この場合、フラットケーブル２９をプリント基板２２のヒンジ１２側の端部から引き出すことが容易となり、そのケーブル長を短くすることができ、表示用筐体１０の小型化、薄型化に有利となる。
【００４４】
接地電極２６のヒンジ１２側を開放させた場合、表示面内のヒンジ１２側において、ノイズが比較的輻射されやすくなる。しかしながら、平面アンテナ２０を表示用筐体１０の先端側に配置していれば、ヒンジ１２側は平面アンテナとは反対側であるため、多少のノイズが輻射されたとしても、その反射波による平面アンテナ２０への影響は比較的小さいものとなる。
【００４５】
図７は、図１の表示用筐体１０のＡ−Ａ切断線による断面図、図８はＢ−Ｂ切断線による断面図である。前面筐体１０ａ及び背面筐体１０ｂは、ビス３１ａ，３１ｂにより係合される。これらの筐体１０ａ，１０ｂを係合することにより、表示窓１４の周辺において、緩衝部材２７、接地電極２６及び透明電極２５が、前面筐体１０ａ及び液晶表示モジュール２１間に挟み込まれ、接地電極２６が透明電極２５に当接する。ただし、図８では、ヒンジ１２側に接地電極２６が設けられていないため、緩衝部材２７が透明電極２５に当接している。
【００４６】
プリント基板２２は、金属フレーム２１及び背面筐体１０ｂに挟み込まれて固定されており、先端部側の導電バネ３０ａと、ヒンジ１２側の導電バネ３０ｂとを介して、金属フレーム２４をプリント基板２２上の接地点に接続している。また、接地電極２６は、ヒンジ１２側の両固定用腕部の先端が、導電部材３２を介して、プリント基板２２上の接地点に接続されている。
【００４７】
金属フレーム２４は、先端部側の導電バネ３０ａと、ヒンジ１２側の導電バネ３０ｂとを介して、プリント基板２２上の接地点に接続されている。また、接地電極２６は、ヒンジ１２側の両固定用腕部の先端が、導電部材３２を介して、プリント基板２２上の接地点に接続されている。
【００４８】
なお、表示窓１４は、前面筐体１０ａに設けられた開口部であり、アクリル板が取り付けられている。また、液晶表示モジュール２１は、金属フレーム２４内にスペーサを介して配置されている。
【００４９】
図９は、液晶表示モジュール２１の一構成例を示した断面図である。液晶表示モジュール２１は、液晶表示パネル２１ａと、その表示面を背面側から照射するバックライト２１ｂからなる。液晶表示パネル２１ａは、シール材５１を用いて、カラーフィルタ基板５０及びアレイ基板５２間に液晶５３を封止して構成され、液晶封止領域が表示面となる。
【００５０】
カラーフィルタ基板５０は、その内側にカラーフィルタ及び共通電極が設けられ、外側に偏向シート６０が貼付されている。ノイズ輻射防止用の透明電極２５は、この偏向シート６０上に貼付される。アレイ基板５２は、その内側に画素電極が形成され、外側に偏向シート６１が形成されている。また、アレイ基板５２の非表示面上には、ドライバ回路５５が配置されるとともにフラットケーブル２３が接続されている。
【００５１】
なお、本実施の形態では、ＰＥＴフィルム２５ｂ上にＩＴＯ膜２５ａを形成した透明電極２５を液晶表示モジュール２１の表示面上に配置する場合の例について説明したが、本発明は、この様な場合には限定されない。すなわち、液晶表示パネル２１ａの表示面の前方にプリント基板２２に接地された透明電極を配置するものであれば、その他の構成であってもよい。例えば、偏向シート６０上にＩＴＯ膜２５ａを形成しておいてもよい。
【図面の簡単な説明】
【００５２】
【図１】本発明の実施の形態による携帯通信端末の一例を示した外観図である。
【図２】図１の携帯電話機の内部構造を説明するための模式図であり、側面の一部破断図が示されている。
【図３】図１の表示用筐体１０の主要部品について組み立て時の様子を示した分解斜視図である。
【図４】透明電極２５、接地電極２６及び緩衝部材２７の形状を詳細に示した斜視図である。
【図５】透明電極２５、接地電極２６及び緩衝部材２７の組み立て後における断面図である。
【図６】透明電極２５及び接地電極２６の組み立て後における位置関係を示した平面図である。
【図７】図１の表示用筐体１０のＡ−Ａ切断線による断面図である。
【図８】図１の表示用筐体１０のＢ−Ｂ切断線による断面図である。
【図９】液晶表示モジュール２１の一構成例を示した断面図である
【図１０】従来の携帯電話機の一構成例を示した側面図であり、一部破断させて内部構造が示されている。
【図１１】従来の携帯電話機の他の構成例を示した側面図である。
【図１２】通話中の携帯電話機から輻射されたノイズがユーザによって反射される様子を示した図である。
【符号の説明】
【００５３】
１０  表示用筐体
１０ａ  前面筐体
１０ｂ  背面筐体
１１  操作用筐体
１２  ヒンジ
１３  通話用レシーバ
１４  表示窓
１５  操作キー
１６  通話用マイク
２０  平面アンテナ
２０Ｐ  給電端子
２１  液晶表示モジュール
２２  アンテナ
２２  プリント基板
２３  フラットケーブル
２４  金属フレーム
２５  透明電極
２５ａ  ＩＴＯ膜
２５ｂ  ＰＥＴフィルム
２６  接地電極
２７  緩衝部材
２９  フラットケーブル
３１ａ，３１ｂ  ビス
３２  導電部材
【図１】
2005159851.tif 000003
【図２】
2005159851.tif 000004
【図３】
2005159851.tif 000005
【図４】
2005159851.tif 000006
【図５】
2005159851.tif 000007
【図６】
2005159851.tif 000008
【図７】
2005159851.tif 000009
【図８】
2005159851.tif 000010
【図９】
2005159851.tif 000011
【図１０】
2005159851.tif 000012
【図１１】
2005159851.tif 000013
【図１２】
2005159851.tif 000014